(57)【要約】【課題】天井用照明器具のボルト穴を従来の天井用照明器具が使用していた既存の天井用照明器具取付用吊りボルトに合わせる工事をすることなく設置することができるようになった天井用照明器具。【解決手段】本考案の天井用照明器具は、板状の天井板部と一体形成され天井板部と開口部を有し断面視略コ字状又は開口部側が天井板部側より狭くなった断面視略コ字状であって長手方向に延びるように形成された本体と、天井板部と直交する長手方向側の両端部に設けられ直管形照明灯の両端を保持するソケットが備えられた一対の端板部と、天井板部の開口部側に着脱自在に取り付けられ取り付けられた面の反対側が直管形照明灯が発光した光を反射する反射面を形成する反射板と、天井板部に一対以上設けられ天井に設けられた既存の天井用照明器具取付用の一対の吊り部材の間隔と略同一の間隔に形成され吊り部材が挿通可能な穴部とからなることを特徴とする。【選択図】図１
0003137243.tif 000002
【実用新案登録請求の範囲】
【請求項１】
天井に設けられる直管形照明灯のための天井用照明器具にあって、
板状の天井板部（１０ａ）と一体に形成され、前記天井板部と対向する側が開口した開口部を有し、断面視略コ字状又は前記開口部側が前記天井板部側より狭くなった断面視略コ字状であって長手方向に延びるように形成された本体（１０）と、
前記天井板部と直交する前記長手方向側の両方の端部に設けられ、前記直管形照明灯の両端を保持するソケット（２１）がそれぞれ備えられた一対の端板部（２０）と、
前記天井板部の前記開口部側に着脱自在に取り付けられ、取り付けられた面の反対側が前記直管形照明灯が発光した光を反射する反射面を形成する反射板（３０）と、
前記天井板部に一対以上設けられ、前記天井に設けられた既存の天井用照明器具取付用の一対の吊り部材の間隔と略同一の間隔に形成され、前記吊り部材が挿通可能な穴部（１４、１５）とを備えている
ことを特徴とする天井用照明器具。
【請求項２】
請求項１記載の天井用照明器具において、
前記天井板は、前記天井用照明器具に電力を供給する電源線を通すための一又は複数の電源用ノック穴（１７）が形成されたものである
ことを特徴とする天井用照明器具。
【請求項３】
請求項２記載の天井用照明器具において、
前記端板部は、複数の前記天井用照明器具を前記天井に並設する際、前記天井用照明器具に電力を供給する電源線を通すための一又は複数の送り配線用ノック穴（２２）を形成されたものである
ことを特徴とする天井用照明器具。
【請求項４】
請求項３記載の天井用照明器具において、
前記端板部は、複数の前記天井用照明器具を前記天井に並設する際、既存の天井用照明器具の大きさに合わせるため前記長手方向に伸縮可能なカバー部が設けられている
ことを特徴とする天井用照明器具。
【請求項５】
請求項４記載の天井用照明器具において、
前記本体は、既存の天井用照明器具より大きな形状に形成されている
ことを特徴とする天井用照明器具。
【請求項６】
請求項５記載の天井用照明器具において、
前記反射板は、アルミニウム製であり、前記反射面がチタン又はシリコンを用いたガラス状の物質が蒸着処理されたものである
ことを特徴とする天井用照明器具。
【請求項７】
請求項６記載の天井用照明器具において、
前記反射板は、前記直管形照明灯が前記反射板側に発光した光を、前記直管形照明灯に遮られないように反射させる角度を有するように複数の傾斜面を有している
ことを特徴とする天井用照明器具。
【請求項８】
請求項６又は７記載の天井用照明器具において、
前記反射板は、エンボス加工がされたものである
ことを特徴とする天井用照明器具。
【考案の詳細な説明】
【技術分野】
【０００１】
この考案は、天井用照明器具に関する。さらに詳しくは、既存の照明器具取付用吊り部材を用いて取付けることを特徴とする天井用照明器具に関する。
【背景技術】
【０００２】
従来より使用されてきた天井用照明器具は、蛍光灯を２灯用いるものが多く使用されていた。しかし、蛍光灯を２灯用いる天井用照明器具は、消費電力が多く、経済的負担が多かった。また、蛍光灯を２灯用いる天井用照明器具は、蛍光灯数が必然的に多いためその発熱作用により、室内温度が上がり、空調設備をより稼働しなければならず、必然的に使用電気料が増大していた。蛍光灯を２灯用いる天井用照明器具は、このような問題点及び現在のエネルギー節約の傾向から、１灯の天井用照明器具に変更することが近年行われている。また、天井用照明器具の灯数を１灯に減らしても反射板の効果で２灯の天井用照明器具と同等の照度を確保できる１灯の天井用照明器具等が作られてきている。このように従来使用されていた２灯の天井用照明器具を、１灯の天井用照明器具に変更する作業が近年増加している。
【０００３】
しかし、従来の２灯の天井用照明器具は、そのメーカーや取付業者により規格が異なり、天井に取付ける手段がまちまちであった。このため、天井に設置された既存の天井用照明器具取付用吊りボルトを再利用するためには、施工時に天井用照明器具をこれにあわせてボルト穴をあけなければならず手間と時間がかかるという問題点があった。また、従来の天井用照明器具を設置していた天井は、汚れの境目ができているため、天井の清掃等の手間と時間が必要であるという問題点があった。
【０００４】
さらに、特許文献を基に、従来の技術を説明する。
吊りボルトを取付具に取付け、取付具の一対の引掛爪で器具本体の両側を吊持したため、反射板と器具本体との間にボルトスペースが必要でなくなるので、器具本体の高さを小さくでき、したがって天井裏に障害物がある場合でもこれを避けて器具本体を設置することができる埋め込み型照明器具の技術が知られている（例えば、特許文献１参照）。
【０００５】
器具本体の側壁に反射板係載部を形成し、器具本体の内側に挿入される反射板の縁部を反射板係載部に係止するとともに、器具本体と反射板との間に外れ止め用ばねを介在したため、１灯用の器具に適用できかつ反射板をワンタッチで取付けることができ部品点数を削減できるという照明器具の技術が知られている（例えば、特許文献２参照）。
【０００６】
端子台、安定器、ソケットを有する既設のシャーシに新規の反射板を取付けた２灯逆富士形照明器具であって、新規の反射板は、既設の反射板と配光特性等の反射板仕様の異なるものであり、また、新規の反射板は既設の反射板と、シャーシ取付け部の逆富士部分の角度、シャーシ取付け治具の種類及び取付治具の取付け位置ピッチにおいて一致するものであり、取付治具により既設のシャーシに取付けられるので、反射板を替えるだけで、配光特性等を容易に変更できる照明器具が提供できる２灯逆富士形照明器具の技術が知られている（例えば、特許文献３参照）。
【０００７】
【特許文献１】実開平５−５７７０６号公報
【特許文献２】実開平５−５７７０９号公報
【特許文献３】特開２００４−３０３４５１号公報
【考案の開示】
【考案が解決しようとする課題】
【０００８】
しかしながら、前述した特許文献１〜３等では、天井に設置された既存の天井用照明器具取付用吊りボルトを再利用するためには、施工時に天井用照明器具をこれにあわせてボルト穴をあけなければならず手間と時間がかかるという課題を有するものであった。また、従来の天井用照明器具を設置していた天井は、汚れの境目ができているため、天井の修正等の手間と時間が必要であるという課題を有するものであった。
【０００９】
本考案は、前述した課題を解決するためになされたもので、次の目的を達成する。
本考案の目的は、天井用照明器具のボルト穴を従来の天井用照明器具が使用していた既存の天井用照明器具取付用吊りボルトに合わせる工事をすることなく設置することができる天井用照明器具を提供することにある。
また、本考案の他の目的は、天井の汚れの補修工事をすることなく設置することができる天井用照明器具を提供することにある。
さらに、本考案の他の目的は、生産コストを抑え、熱発生量が少なく、消費電力が少ない天井用照明器具を提供することにある。
【課題を解決するための手段】
【００１０】
本考案は、前記目的を達成するために次の手段をとる。
本考案１の天井用照明器具は、天井に設けられる直管形照明灯のための天井用照明器具であり、板状の天井板部と一体に形成され、前記天井板部と対向する側が開口した開口部を有し、断面視略コ字状又は前記開口部側が前記天井板部側より狭くなった断面視略コ字状であって長手方向に延びるように形成された本体と、前記天井板部と直交する前記長手方向側の両方の端部に設けられ、前記直管形照明灯の両端を保持するソケットがそれぞれ備えられた一対の端板部と、前記天井板部の前記開口部側に着脱自在に取り付けられ、取り付けられた面の反対側が前記直管形照明灯が発光した光を反射する反射面を形成する反射板と、前記天井板部に一対以上設けられ、前記天井に設けられた既存の天井用照明器具取付用の一対の吊り部材の間隔と略同一の間隔に形成され、前記吊り部材が挿通可能な穴部とを備えていることを特徴とする。
【００１１】
本考案２の天井用照明器具は、本考案１において、前記天井板は、前記天井用照明器具に電力を供給する電源線を通すための一又は複数の電源用ノック穴が形成されたものであることを特徴とする。
【００１２】
本考案３の天井用照明器具は、本考案２において、前記端板部は、複数の前記天井用照明器具を前記天井に並設する際、前記天井用照明器具に電力を供給する電源線を通すための一又は複数の送り配線用ノック穴を形成されたものであることを特徴とする。
【００１３】
本考案４の天井用照明器具は、本考案３において、前記端板部は、複数の前記天井用照明器具を前記天井に並設する際、既存の天井用照明器具の大きさに合わせるため前記長手方向に伸縮可能なカバー部が設けられていることを特徴とする。
【００１４】
本考案５の天井用照明器具は、本考案４において、前記本体は、既存の天井用照明器具より大きな形状に形成されていることを特徴とする。
【００１５】
本考案６の天井用照明器具は、本考案５において、前記反射板は、アルミニウム製であり、前記反射面がチタン又はシリコンを用いたガラス状の物質が蒸着処理されたものであることを特徴とする。
【００１６】
本考案７の天井用照明器具は、本考案８において、前記反射板は、前記直管形照明灯が前記反射板側に発光した光を、前記直管形照明灯に遮られないように反射させる角度を有するように複数の傾斜面を有していることを特徴とする。
【００１７】
本考案８の天井用照明器具は、本考案６又は７において、前記反射板は、エンボス加工がされたものであることを特徴とする。
【考案の効果】
【００１８】
以上説明したように、本考案の天井用照明器具は、天井用照明器具のボルト穴を従来の天井用照明器具が使用していた既存の天井用照明器具取付用吊りボルトに合わせる工事をすることなく設置することができるようになった。また、本考案の天井用照明器具は、天井の汚れの補修工事をすることなく設置することができるようになった。また、本考案の天井用照明器具は、生産コストを抑え、熱発生量が少なく、消費電力が少なくなった。さらに、いったん本体を設置してしまえば、反射板の取替が容易にできるようになった。
【考案を実施するための最良の形態】
【００１９】
以下、本考案の天井用照明器具について、その実施の形態を図面に基づいて説明する。
図１は、本考案の天井用照明器具の実施の形態を示す外観図である。図２は、図１をＡ−Ａ線で切断した拡大断面図である。図３は、本考案の天井用照明器具を天井側から見た平面図である。なお、図１において天井用照明器具１は、説明の便宜から天井を下方向にして描いている。
【００２０】
図１において、本考案の天井用照明器具１は、本体１０、一対の端板部２０、及び反射板３０から構成されている。本実施の形態において本体１０は、平面視長方形形状、側面視略台形形状に形成されている。本体１０は、アルミニウムなどの一枚板を曲げることにより形成されており、天井板部１０ａ、本体側部１０ｂ、本体斜部１０ｃ、本体下部１０ｄ、反射板長辺抑止部１０ｅ、及び反射板長辺取付部１０ｆからなる。
【００２１】
なお、本実施の形態において説明の便宜上、天井用照明器具１の内側に向かう方向を内側方向とする。また、天井用照明器具１の外側に向かう方向を外側方向とする。また、天井用照明器具１の設置される天井側の方向を上方向とし、反対の方向を下方向とする。また、本実施の形態において説明の便宜上、長方形の長い方の線を長辺とし、短い方の線を短辺とする。また、台形における平行線のうち上方向の線又は外側方向の線を上底とし、台形の下方向の線又は内側方向の線を下底とする。さらに、本実施の形態において説明の便宜上、天井板部１０ａの２つ短辺の中心を結ぶ線を中心線Ｌとする。
【００２２】
図２より、本体１０は、断面視すると下方向に開口する略コ字状であり、また、天井に設置した状態で上底のほうが下底より長く、左右対称の略台形形状に形成されており、後述する端板部２を覆うように形成されている。また、図３より、本体１０は、平面視長方形形状である。本体１０を形成する天井板部１０ａ、本体側部１０ｂ、本体斜部１０ｃ、本体下部１０ｄ、反射板長辺抑止部１０ｅ及び反射板長辺取付部１０ｆは、それぞれ長方形形状の面で形成されている。
【００２３】
図２で示すように、本実施の形態において本体１０は、以下のように形成されている。本体１０は、天井板部１０ａの一対の長辺から垂直下方向に、側面視左右対称に一対の本体側部１０ｂが形成されている。また、本体１０は、一対の本体側部１０ｂの下方向の長辺からそれぞれ斜め内側方向に、側面視左右対称に一対の本体斜部１０ｃが形成されている。また、本体１０は、一対の本体斜部１０ｃの下方向内側の長辺からそれぞれ内側方向に、天井板部１０ａと平行になるように、側面視左右対称に一対の本体下部１０ｄが形成されている。また、本体１０は、一対の本体下部１０ｄの内側の長辺からそれぞれ垂直上方向に、側面視左右対称に一対の反射板長辺抑止面部１０ｅが形成されている。さらに、本体１０は、一対の反射板長辺抑止面部１０ｅの上方向の長辺からそれぞれ内側方向に、天井板部１０ａと平行になるように、側面視左右対称に一対の反射板長辺取付部１０ｆが形成されている。つまり、本体１０は、天井板部１０ａの下方向に開口する開口部を有する略コ字状に形成されている。
【００２４】
本実施の形態において、本体１０は、側面視略台形形状に形成されているが、この形態に限らず他の形態で形成しても良いことはいうまでもなく、例えば、側面視長方形形状などでも良い。
【００２５】
天井板部１０ａは、本体１０を天井に取付けるための面であり、長方形形状に形成されている。本実施の形態において、天井板部１０ａの長方形形状は、例えば長辺を１２５０ｍｍ、短辺を２７０ｍｍとしている。これは、既存の逆富士２灯器具の天井接触面の大きさより大きくするためである。つまり、既存の逆富士２灯器具は、長辺を１２３５〜１２４５ｍｍ、短辺を２００〜２５０ｍｍの大きさで規格化されたものがほとんどである。このことから、本実施の形態において本体１０の天井板部１０ａの寸法は、既存の逆富士２灯器具の大きさより弱冠大きい形状にするために前記寸法に形成している。
【００２６】
天井板部１０ａは、このような寸法に形成していることにより、既存の逆富士２灯器具が長期に渡り設置されていたため生じた天井面の汚れを覆い設置することができる。つまり、天井面の汚れを落とすための清掃や改修作業を行うことなく、天井用照明器具１を設置することができる。しかし、既存の逆富士２灯器具より大きいのであれば、天井板部１０ａは、この大きさに限定されることがないことは、いうまでもない。
【００２７】
図３により天井板部１０ａについて説明する。
天井板部１０ａは、６つの干渉防止突起１１が設けられている。干渉防止突起１１は、天井用照明器具１を天井に設置する際に、天井が均一な平面でない場合における接触面となる突起である。また、干渉防止突起１１は、天井板部１０ａの外部の面に突起の生じる部品等を設置する際の干渉防止の機能を有する突起でもある。
【００２８】
なお、本実施の形態において干渉防止突起１１は、例えば丸形形状で直径１５ｍｍの大きさで形成されている。しかし、この形状又は大きさに限定されないことはいうまでもない。また、本実施の形態において干渉防止突起１１は、天井板部１０ａ内に上下左右に対称となる位置に６つ設けられており、すべて同一の高さを有する突起である。しかし、設置する天井の状況に応じて突起の高さ、数及び突起の位置を変更できることはいうまでもない。
【００２９】
また、天井板部１０ａに突起の生じる部品等を設置しない場合には、干渉防止突起１１を設けなくとも良い。干渉防止突起１１を設けないことにより、天井板部１０ａを天井に密着させることが可能となり、埃などが天井用照明器具１に溜まらないようにすることも可能である。例えば、精密機械工場などのように、埃を溜めないことを前提とする場所などにおいては、あえて干渉防止突起１１を設けず天井に密着させる構成にすると良い。
【００３０】
天井板部１０ａは、略中心線上にねじ用穴１２及びねじ用だるま穴１３が設けられている。ねじ用穴１２及びねじ用だるま穴１３は、本体１０を天井に設置する際にねじを挿通させるための穴であり、天井板部１０ａを貫通した穴である。本実施の形態において、ねじ用穴１２及びねじ用だるま穴１３は、天井板部１０ａの両端の短辺から内側に例えば中心線上１２５ｍｍの位置にそれぞれ設けられている。しかし、ねじ用穴１２及びねじ用だるま穴１３の位置は、この位置に限定されることなく、他の位置でも良いことはいうまでもない。例えば、ねじ用穴１２及びねじ用だるま穴１３は、天井に設置したときに天井用照明器具１の重さに耐え、バランスの取れる位置に設けられていれば良い。
【００３１】
本実施の形態において、ねじ用穴１２は、例えば丸形形状であり、例えば直径５．５ｍｍで形成されている。しかし、この形状や大きさに限定されることなく、使用するねじの大きさに合わせて形成しても良いことはいうまでもない。
【００３２】
本実施の形態において、ねじ用だるま穴１３は、丸型形状と楕円形状を組合わせた略だるま形状に形成されている。ねじ用だるま穴１３は、だるま形状に形成されていることにより、位置決め用にねじを天井に取付けた後でもスライド移動させた上で天井用照明器具１を固定することができる。つまり、先に丸形のねじ用穴１２をねじで固定してしまうと、ねじで固定した部分に遊びがなく、その位置から天井用照明器具１は、スライド移動できない。このため、まずねじ用だるま穴１３にねじを挿通し、天井に固定する。ねじ用だるま穴１３は、ねじで固定しても遊びがあるため、天井用照明器具１の位置をスライド移動することができる。このように、天井用照明器具１をスライド移動させた後に、ねじ用穴１２をねじで固定することにより、柔軟に位置決めができ、作業の効率が良くなる。
【００３３】
天井板部１０ａは、一対の第一吊下ボルト穴１４、１４と一対の第二吊下ボルト穴１５、１５を設けている。第一吊下ボルト穴１４、１４及び第二吊下ボルト穴１５、１５は、本体１０を天井に設置する際に吊下ボルトを挿通させるための穴であり、天井板部１０ａを貫通した穴である。
【００３４】
本実施の形態において、一対の第一吊下ボルト穴１４、１４は、例えば中心線Ｌ上に８００ｍｍの間隔で設けられた貫通穴である。また、第二吊下ボルト穴１５、１５は、例えば中心線Ｌ上に６００ｍｍの間隔で設けられた貫通穴である。本実施の形態において第一吊下ボルト穴１４、１４と第二吊下ボルト穴１５、１５の間隔は、既存の照明設備のシャーシを固定する吊下ボルトの間隔から決められたものである。つまり、本実施の形態において天井用照明器具１は、既存の天井用照明器具、例えば既存の逆富士２灯器具を天井に取付けている吊下ボルトを利用するものである。このため、既に広く設置されている天井用照明器具を取付けている吊下ボルトの間隔をそのまま用いている。
【００３５】
本実施の形態において、第一吊下ボルト穴１４、１４は、天井板部１０ａの両端の短辺から内側に例えば中心線上２２５ｍｍの位置にそれぞれ設けられている。しかし、第一吊下ボルト穴１４、１４の位置は、この位置に限定されることなく、他の位置でも良いことはいうまでもない。例えば、天井用照明器具１の大きさに応じて、第一吊下ボルト穴１４、１４は、天井に設置したときに天井用照明器具１の重さに耐え、バランスの取れる位置に設けられていれば良い。
【００３６】
本実施の形態において、第二吊下ボルト穴１５、１５は、天井板部１０ａの両端の短辺から内側に例えば中心線上３２５ｍｍの位置にそれぞれ設けられている。しかし、第二吊下ボルト穴１５、１５の位置は、この位置に限定されることなく、他の位置でも良いことはいうまでもない。例えば、天井用照明器具１の大きさに応じて、第二吊下ボルト穴１５、１５は、天井に設置したときに天井用照明器具１の重さに耐え、バランスの取れる位置に設けられていれば良い。
【００３７】
第一吊下ボルト穴１４、１４及び第二吊下ボルト穴１５、１５は、本実施の形態において、楕円形状であり、例えば長軸３０ｍｍ短軸１２ｍｍで形成されている。しかし、この形状や大きさに限定されることなく、使用する吊下ボルトの大きさに合わせて形成しても良いことはいうまでもない。また、本実施の形態においては、本体１０を天井に取り付ける吊り部材として、ねじ及び吊下ボルトを用いているが、これに以外の吊り部材であっても良いことはいうまでもない。また、本体１０を天井にねじにより取り付けるか吊りボルトにより取り付けるかは、適宜取り付ける天井に応じて変更することが可能であることはいうまでもない。
【００３８】
天井板部１０ａは、内側面に補強板１８が設けられている。本実施の形態において、補強板１８は、第一吊下ボルト穴１４、１４及び第二吊下ボルト穴１５、１５が設けられた位置に設けられている。つまり、補強板１８は、天井用照明器具１を天井に吊下げボルトで固定して吊下げたときに、本体１０が自重から破断することを防ぐために天井板部１０ａを補強し、剛性を与えるために設けられたものである。
【００３９】
天井板部１０ａは、電源用穴１６を設けている。電源用穴１６は、本体１０を天井に設置する際に天井から配線される電源用の電源線を挿通させるための穴であり、天井板部１０ａを貫通した穴である。
【００４０】
本実施の形態において電源用穴１６は、中心線Ｌ上の中心位置に設けられた貫通穴である。電源用穴１６は、本実施の形態において、丸形形状であり、例えば直径２０ｍｍで形成されている。しかし、この形状や大きさに限定されることなく、使用する電源線の量や太さ等に合わせて形成しても良いことはいうまでもない。なお、電源用穴１６を挿通する電源線が傷つかないようにするために、電源用穴１６の円周を縁取るように合成樹脂等でカバー等を設けても良い。
【００４１】
天井板部１０ａは、電源用ノック穴１７を設けている。電源用ノック穴１７は、本体１０を天井に設置する際に天井から配線される電源線が電源用穴１６の位置にないときに、電源用穴に変更することができる穴である。天井用ノック穴１７は、天井板部１０ａを丸形形状にプレス加工で形成した貫通していない穴である。
【００４２】
本実施の形態において電源用ノック穴１７は、電源用穴１６から一定の間隔ごとに中心線Ｌ上に８つと、第一吊下ボルト穴１４と第二吊下ボルト穴１５の間に設けられた穴とで計９つ設けられている。本実施の形態において電源用ノック穴１７は、電源線が何れの位置から配線されても対応できるように、中心線Ｌ上に９つ設けられたものである。つまり、本実施の形態において天井用照明器具１は、既存の天井用照明器具、例えば既存の逆富士２灯器具が使用していた電源線を利用するものである。このため、既に広く設置されている天井用照明器具が使用していた電源線が天井の何れの位置に配線されていても対応できるように中心線上に９つ設けている。
【００４３】
本実施の形態において、電源用ノック穴１７は、天井板部１０ａの中心線Ｌ上に９つ一定の位置に設けられている。しかし、電源用ノック穴１７の位置は、この個数、この位置に限定されることなく、他の個数、位置でも良いことはいうまでもない。例えば、天井より配線されている電源線の位置がわかっている場合には、あらかじめ、電源用穴１６或は、電源用ノック穴１７をその位置に設けておいても良い。また、天井板部１０ａ上に必要以上に穴を開けて剛性が低下しないように、電源用ノック穴１７の個数を減らしても良いことはいうまでもない。
【００４４】
図４は、電源用ノック穴１７をＢ−Ｂ線からみた一部拡大断面図である。
本実施の形態において電源用ノック穴１７は、中心線Ｌ上に９つ設けられた貫通しない穴である。電源用ノック穴１７は、本実施の形態において、丸形形状であり、直径２０ｍｍで形成されている。電源用ノック穴１７は、天井板部１０ａをプレス加工により形成された穴であり、天井板部１０ａから平行に押し出されたノック穴底面部１７ａと、天井板部１０ａとノック穴底面部１７ａとを連結するノック穴連結部１７ｂとから形成される。
【００４５】
本実施の形態において電源用ノック穴１７は、プレス加工により形成される。このプレス加工に用いられる丸形形状の雌型と雄型は、その円周上の数カ所に歯が設けられていない。このため、この雄型と雌型により天井板部１０ａをプレス加工すると、丸形形状の歯が設けられていなかった箇所がノック穴連結部１７ｂとなって残り、その他の部分が押し出されノック穴底面部１７ａを形成する。本実施の形態において、ノック穴連結部１７ｂは、２箇所に形成されている（図示せず）が、これに限定されないことはいうまでもない。
【００４６】
電源用ノック穴１７は、天井に配線された電源線の位置に応じて電源用穴に変更することができる。電源用ノック穴１７のノック穴底面部１７ａは、ノック用連結部１７ｂにより僅かに天井板部１０ａとつながっているにすぎない。このため、例えば、天井板部１０ａの外側から、内側に向けて貫通ドライバーや打ち出しポンチ等を用いて押し込むことにより簡易に貫通穴にすることができる。このように、電源用ノック穴１７を簡易に電源用穴にすることができるので、わざわざ電源線の位置を採寸した後にそれに最適な箇所に穴を開けるという工程を採らなくても良い。なお、電源用ノック穴１７を電源用穴にした後その穴に挿通する電源線が傷つかないようにするために、電源用穴の円周を縁取るように合成樹脂等でカバーなどを設けても良い。
【００４７】
なお、電源用ノック穴１７は、プレス加工により、形成された丸形形状であり、例えば直径２０ｍｍで形成されている。しかし、このような加工方法により形成される必要はなく、また、この形状や大きさに限定されることなく、使用する電源線の量や太さ等に合わせて形成しても良いことはいうまでもない。
【００４８】
本体１０は、天井板部１０ａと略平行であり、本体１の内側に側面視左右対称に一対の反射板長辺取付部１０ｆが設けられている。本実施の形態において、反射板長辺取付部１０ｆは、後述する反射板３０の長辺と略同一の長さに形成され、反射板３０の両端長辺が取付られるように弱冠の幅が設けられた長方形形状に形成されている。本実施の形態において反射板長辺取付部１０ｆは、例えば長辺１２１７ｍｍ、短辺６．５ｍｍに形成され設けられている。なお、反射板長辺取付部１０ｆの形状は、この形状に限定される必要はなく、反射板３０を取付けることができれば、どのような形状であっても良いことはいうまでもない。
【００４９】
本体１０は、反射板長辺取付部１０ｆの外側長辺より略直角下方向であり、本体１の内側に側面視左右対称に一対の反射板長辺抑止部１０ｅが設けられている。本実施の形態において、反射板長辺抑止部１０ｅは、後述する反射板３０の長辺と略同一の長さに形成され、取付られた反射板３０がずれることなく取付けられるように長方形形状に形成されている。本実施の形態において反射板長辺抑止部１０ｅは、例えば長辺１２１７ｍｍ、短辺６．５ｍｍに形成されて設けられている。なお、反射板長辺抑止部１０ｅの形状は、この形状に限定される必要はなく、反射板３０がずれないように抑止することができれば、どのような形状であっても良いことはいうまでもない。
【００５０】
図５は、反射板を外したときの天井用照明器具の平面図であり、図６は、反射板を取付けたときの天井用照明器具の平面図である。
本体１０は、その一面である天井板部１０ａと対向する面である開口部が開口されており、本体１０の内側に反射板３０を設置できるように形成されている。また、本体１０は、その内部に点灯装置としての安定器４０、電源用端子台７０が設けられている。安定器４０と電源用端子台７０は、本体１０の内側に反射板と接触しない位置に設けられていると良い。
【００５１】
本体１０は、天井板部１０ａの内側の中心線Ｌ上に、本体１０に取付られた反射板３０を固定するための反射板取付台１９を２箇所に設けている。反射板取付台１９は、天井板部１０ａの内側に固定されておりその中央部に反射板取付穴１９ａを有している。本実施の形態において、反射板取付穴１９ａは、ねじ止めされて固定されているが、接着固定などでも良いことはいうまでもない。本実施の形態において反射板３０は、反射板取付台１９において、後述する反射板取付羽ピン６０により固定されている。
【００５２】
本実施の形態において反射板３０は、本体１の反射板取付台１９に反射板取付羽ピン６０により中心線Ｌ上に２箇所で取付けられているが、他の取付手段により取付けても良いことはいうまでもない。例えば、反射板取付台１９にボルト穴を設けてボルトにより取付ても良い。また、反射板の取付箇所である反射板取付台１９は、中心線Ｌ上の２箇所に限らず反射板の大きさや形状に応じて１箇所或は、複数箇所に設けても良いことはいうまでもない。
【００５３】
本実施の形態において、本体１０は、一枚のアルミニウム板を曲げることにより形成されている。しかし、この部材や形成方法に限定されないことはいうまでもない。例えば、数枚のアルミニウム板をつなぎ合わせて形成しても良い。
【００５４】
図７は、天井用照明器具の側面図であり、図８は、反射板を外したときの天井用照明器具の一部外観図である。
本実施の形態において端板部２０は、本体１０の両端に側面視略台形形状に形成されている。端板部２０は、アルミニウムなどの一枚板を曲げることにより形成されており、端板上部２０ａ、端板側部２０ｂ、端板斜部２０ｃ、端板下部２０ｄ、反射板短辺抑止部２０ｅ、及び反射板短辺取付部２０ｆからなる。
【００５５】
端板部２０は、側面視すると天井に設置した状態で上底のほうが下底より長く、左右対称の略台形形状に形成されており、本体部１０に覆われるように形成されている。また、端板部２０を形成する端板上部２０ａ、端板側部２０ｂ、端板斜部２０ｃ及び端板下部２０ｄは、長方形形状で形成されている。さらに、端板部２０を形成する反射板短辺抑止部２０ｅ及び反射板短辺取付部２０ｆは略台形形状で形成されている。
【００５６】
図７、８で示すように、本実施の形態において端板部２０は、以下のように形成されている。端板部２０は、端板上部２０ａの一対の短辺から垂直下方向に、側面視左右対称に一対の端板側部２０ｂが形成されている。また、端板部２０は、一対の端板側部２０ｂの下方向の短辺からそれぞれ斜め内側方向に、側面視左右対称に一対の端板斜部２０ｃが形成されている。また、端板部２０は、一対の端板斜部２０ｃの下方向内側の短辺からそれぞれ内側方向に、端板上部２０ａと平行になるように、端板下部２０ｄが形成されている。また、端板部２０は、一対の端板下部２０ｄ内側の長辺から垂直上方向に、一対の反射板短辺抑止面部２０ｅが形成されている。また、端板部２０は、一対の反射板短辺抑止面部２０ｅの上底からそれぞれ内側方向に、天井板部１０ａと平行になるように、一対の反射板短辺取付部２０ｆが形成されている。さらに、端板部２０は、天井用照明器具１の両端面に該当し、一対の端板上部２０ａと一対の端板下部２０ｄの外側の長辺とをそれぞれ、上底、下底とした台形形状の面である、一対の端板端部２０ｇが形成されている。
【００５７】
一対の端板端部２０ｇは、送り配線用ノック穴２２を設けている。送り配線用ノック穴２２は、天井用照明器具１を天井に直列に並べて設置する際に、天井用照明器具１内において電源線を挿通させたい場合に、電源線挿通穴に変更することができる穴である。送り配線用ノック穴２２は、一対の端板端部２０ｇを略半楕円形状にプレス加工で形成した貫通していない穴である。
【００５８】
本実施の形態において送り配線用ノック穴２２は、一対の端板端部２０ｇの略中央に１つずつ設けられている。本実施の形態において、送り配線用ノック穴２２は、端板端部２０ｇの略中央に１つずつ設けられている。しかし、送り配線用ノック穴２２の位置は、この個数、この位置に限定されることなく、他の個数、位置でも良いことはいうまでもない。例えば、天井用照明器具１内を挿通する電源線の本数が多い場合には、送り配線用ノック穴２２を複数箇所に設けておいても良いし、送り配線用ノック穴２２の大きさを大きくしても良い。
【００５９】
図９は、図１をＣ−Ｃ線で切断した断面図であり、送り配線用ノック穴２２の断面視形状である。
本実施の形態において送り配線用ノック穴２２は、端板端部２０ｇに設けられた貫通しない穴である。送り配線用ノック穴２２は、本実施の形態において、略半楕円形状であり、例えば直径２０ｍｍ、高さ２０ｍｍで形成されている。送り配線用ノック穴２２は、端板端部２０ｇをプレス加工により形成された穴であり、端板端部２０ｇから平行に押し出された送り配線用ノック穴底面部２２ａと、端板端部２０ｇと送り配線用ノック穴底面部２２ａとを連結する電源用送りノック穴連結部２２ｂとから形成される。
【００６０】
本実施の形態において送り配線用ノック穴２２は、プレス加工により形成される。このプレス加工に用いられる略半楕円形状の雌型と雄型は、その外周上の数カ所に歯が設けられていない。このため、この雄型と雌型により端板端部２０ｇをプレス加工すると、丸形形状の歯が設けられていなかった箇所が電源用送りノック穴連結部２２ｂとなって残り、その他の部分が押し出され送り配線用ノック穴底面部２２ａを形成する。本実施の形態において、電源用送りノック穴連結部２２ｂは、２箇所に形成されているが、これに限定されないことはいうまでもない。
【００６１】
送り配線用ノック穴２２は、天井用照明器具１を天井に直列に並べて設置する際に、必要に応じて電源線挿通穴に変更することができる。送り配線用ノック穴２２の送り配線用ノック穴底面部２２ａは、電源用送りノック穴連結部２２ｂにより僅かに端板端部２２ｇとつながっているにすぎない。このため、例えば、端板端部２２ｇの外側から、内側に向けて貫通ドライバーや打ち出しポンチ等を用いて押し込むことにより簡易に貫通穴にすることができる。このように、送り配線用ノック穴２２を簡易に電源線挿通穴にすることができるので、わざわざ電源線の挿通位置を採寸した後にそれに最適な箇所に穴を開けるという工程を採らなくても良い。なお、送り配線用ノック穴２２を電源線挿通穴にした後その穴に挿通する電源線が傷つかないようにするために、電源用穴の円周を縁取るように合成樹脂等でカバーなどを設けても良い。
【００６２】
なお、送り配線用ノック穴２２は、プレス加工により、形成された略半楕円形状であり、例えば直径２０ｍｍ、高さ２０ｍｍで形成されている。しかし、このような加工方法により形成される必要はなく、また、この形状や大きさに限定されることなく、使用する電源線の量や太さ等に合わせて形成しても良いことはいうまでもない。
【００６３】
図８に示すように、端板部２０は、端板上部２０ａと略平行であり、天井用照明器具１の内側に底面視左右対称に略台形形状に一対の反射板短辺取付部２０ｆが設けられている。本実施の形態において、反射板短辺取付部２０ｆは、反射板３０の両端短辺部分が取付られるように弱冠の幅が設けられた略台形形状に形成されている。本実施の形態において反射板短辺取付部２０ｆは、例えば上底１３６ｍｍ、下底１２３ｍｍの略台形形状に形成され設けられている。なお、反射板短辺取付部２０ｆの形状は、この略台形形状に限定される必要はなく、反射板３０を取付ることができれば、どのような形状であっても良いことはいうまでもない。
【００６４】
端板部２０は、一対の反射板短辺取付部２０ｆの上底より略直角下方向であり、天井用照明器具１の内側に左右対称に一対の反射板短辺抑止部２０ｅが設けられている。本実施の形態において、反射板短辺抑止部２０ｅは、後述する反射板３０の短辺と略同一の長さの下底が形成され、取付られた反射板３０がずれることなく取付けられるように略台形形状に形成されている。本実施の形態において反射板短辺抑止部２０ｅは、例えば上底１２３ｍｍ、下底１９２ｍｍに形成されて設けられている。なお、反射板短辺抑止部２０ｅの形状は、この略台形形状に限定される必要はなく、反射板３０がずれないように抑止することができれば、どのような形状であっても良いことはいうまでもない。
【００６５】
一対の反射板短辺抑止部２０ｅは、一対のソケット２１を設けている。本実施の形態においてソケット２１は、反射板短辺抑止部２０ｅに一対のソケット設置穴（図示せず）を設け、このソケット設置穴に取り外し自在に設けられている。なお、反射板短辺抑止部２０ｅにソケット設置穴を設けず、接着するなどして直接ソケット２１を固定しても良いことはいうまでもない。また、反射板短辺抑止部２０ｅにソケット設置穴を複数設けて設置できるソケットの数を増やし、複数の蛍光灯の数を設置できるようにしても良い。
【００６６】
本実施の形態において反射板３０は、天井用照明器具１が使用する蛍光灯５０が１灯のものである場合の形状である。反射板３０は、本体１０に形成された一対の反射板長辺取付部１０ｆと端板部２０に形成された一対の反射板短辺取付部２０ｆに取付られ、反射板取付台１９に取付られている。
【００６７】
本実施の形態において反射板３０は、母材となるアルミニウムに陽極酸化処理を施した後に、チタンやシリコンを用いたガラス状の物質を物理蒸着したものである。本実施の形態において反射板３０は、反射率６０パーセントの白色塗装や反射率７０パーセントのアルミニウム鏡面の既存反射板に比べ反射率が良く反射率９５パーセント以上である。本実施の形態において反射板３０は、一枚の板を曲げることにより形成されており、底面視略長方形形状であり、側面視左右対称の略Ｍ字形状に形成されている。
【００６８】
本実施の形態において反射板３０は、チタンやシリコンを用いたガラス状の物質をＰＶＤコーティングという方法で物理蒸着することにより反射面を形成する。これにより反射板３０は、照射された照射光を、母材であるアルミニウムによって反射するのではなく、ＰＶＤコーティングされた反射板３０の表面である反射面で反射するため、反射率が９５パーセントという反射率が実現する。つまり、反射板３０は、照射された照射光をほとんど吸収することなく反射するため、反射率９５パーセントという高性能反射率を実現する。また、反射板３０の反射面は、ＰＶＤコーティングをしたことにより、耐摩耗性に優れ、高温作業下でも硬度に優れ、キズがつきにくい等の特徴を有する。さらに、反射板は、耐久性に優れ、表面が黄ばんだり、剥げたりすることがなく高反射率を維持できる。
【００６９】
本実施の形態において、反射板３０は、その表面をエンボス加工が施されている。反射板３０は、エンボス加工が施されていることにより、蛍光灯５０より発せられた照射光を拡散反射することができる。つまり、照射光が拡散反射することにより反射板の表面部が黒く見えることなく、全体に白く見えるようになり、意匠性が向上する。なお、反射板３０は、天井用照明装置を設置する位置や場所又は、照明をあてる対象に応じて例えば鏡面加工や梨地加工に変えても良いことはいうまでもない。
【００７０】
図１０は、本実施の形態における反射板の平面図であり、図１１は、図１０をＤ−Ｄ線で切断した拡大断面図である。なお、図１０において、記載されている矢印は、蛍光灯５０より発せられた照射光の一部である。
本実施の形態において反射板３０は、１４枚の長方形形状の面が連続して並べられていることで形成されている。また、反射板３０は、一枚の板が連続して曲げられていることにより、第一右反射面３０ａから第七右反射面１３０ｇの７面と、第一左反射面３０ａ’から第七左反射面３０ｇ’の７面が一体に形成されている。
【００７１】
図１１において、反射板３０は、光源である蛍光灯５０に最も近い上方向に第一右反射面３０ａが形成されている。第一右反射面３０ａは、左から右にかけて上方向に傾斜している。
【００７２】
反射板３０は、第一右反射面３０ａの右隣に第二右反射面３０ｂが形成され、第二右反射面３０ｂの右隣に第三右反射面３０ｃが形成され、第三右反射面３０ｃの右隣に第四右反射面３０ｄが形成され、第四右反射面３０ｄの右隣に第五右反射面３０ｅが形成されている。さらに、第五右反射面３０ｅの右隣に第六右反射面３０ｆが形成され、第六右反射面３０ｆの右隣に第七右反射面３０ｇが形成されている。
【００７３】
第二右反射面３０ｂ〜３０第五右反射面ｅは、左から右にかけて下方向に傾斜するように形成されている。第六右反射面３０ｆは、左から右にかけて天井板部と平行になるよう水平に形成されている。第七右反射面３０ｇは、左から右にかけて上方向に傾斜するように形成されている。
【００７４】
第一右反射面３０ａと第二右反射面３０ｂが隣り合わせた部分は、側面視上方向に突出する凸型形状に形成されている。第二右反射面３０ｂと第三右反射面３０ｃが隣り合わせた部分は、側面視上方向に突出する凸型形状に形成されている。第三右反射面３０ｃと第四右反射面３０ｄが隣り合わせた部分は、側面視上方向に突出する凸型形状に形成されている。第四右反射面３０ｄと第五右反射面３０ｅが隣り合わせた部分は、側面視上方向に突出する凸型形状に形成されている。
【００７５】
第五右反射面３０ｅと第六右反射面３０ｆが隣り合わせた部分は、側面視下方向に突出する凸型形状に形成されている。第六右反射面３０ｆと第七右反射面３０ｇが隣り合わせた部分は、側面視下方向に突出する凸型形状に形成されている。
【００７６】
反射板３０は、光源である蛍光灯５０に最も近い上方向に第一左反射面３０ａ’が形成されている。第一左反射面３０ａ’は、右から左にかけて上方向に傾斜している。
【００７７】
反射板３０は、第一左反射面３０ａ’の左隣に第二左反射面３０ｂ’が形成され、第二左反射面３０ｂ’の左隣に第三左反射面３０ｃ’が形成され、第三左反射面３０ｃ’の左隣に第四左反射面３０ｄ’が形成され、第四左反射面３０ｄ’の左隣に第五左反射面３０ｅ’が形成されている。さらに、第五左反射面３０ｅ’の左隣に第六左反射面３０ｆ’が形成され、第六左反射面３０ｆ’の左隣に第七左反射面３０ｇ’が形成されている。
【００７８】
第二左反射面３０ｂ’〜３０第五右反射面ｅは、右から左にかけて下方向に傾斜するように形成されている。第六左反射面３０ｆ’は、右から左にかけて天井板部と平行になるよう水平に形成されている。第七左反射面３０ｇ’は、右から左にかけて上方向に傾斜するように形成されている。
【００７９】
第一左反射面３０ａ’と第二左反射面３０ｂ’が隣り合わせた部分は、側面視上方向に突出する凸型形状に形成されている。第二左反射面３０ｂ’と第三左反射面３０ｃ’が隣り合わせた部分は、側面視上方向に突出する凸型形状に形成されている。第三左反射面３０ｃ’と第四左反射面３０ｄ’が隣り合わせた部分は、側面視上方向に突出する凸型形状に形成されている。第四左反射面３０ｄ’と第五左反射面３０ｅ’が隣り合わせた部分は、側面視上方向に突出する凸型形状に形成されている。
【００８０】
第五左反射面３０ｅ’と第六左反射面３０ｆ’が隣り合わせた部分は、側面視下方向に突出する凸型形状に形成されている。第六左反射面３０ｆ’と第七左反射面３０ｇ’が隣り合わせた部分は、側面視下方向に突出する凸型形状に形成されている。
【００８１】
第一右反射面３０ａ〜第七右反射面３０ｇと第一左反射面３０ａ’〜第七左反射面３０ｇ’は、反射板中央軸１０Ｌを軸に左右対称に形成されている。第一右反射面３０ａと第一左反射面３０ａ’が隣り合わせた部分は、側面視下方向に蛍光灯５０側に突出する凸型形状に形成されている。
【００８２】
照明器具の反射光は、反射回数が多くなるほど弱くなる。従来の蛍光灯では光が天井や照明器具に当たり、これらに吸収されてしまうため、最終的に照度が光源たる蛍光灯から発せられたものに比べ落ちてしまっていた。本実施の形態の反射板３０は、光学的に設計した反射角に蛍光灯から発せられた光を効率よく下方に反射させ、影を作らない照射光を生み出している。つまり、本実施の形態の反射板３０は、蛍光灯５０より発せられた照射光を複数回反射させることにより、照射光が反射板３０に吸収されてしまうことを防ぐため、反射板３０を所定の角度にすることにより、１回の反射で照射対象物に照射光が届くように形成されている。また、蛍光灯５０より発せられた照射光が、反射板３０により反射された後に蛍光灯５０を照射しないように反射板３０の角度を形成すると良い。また、本実施の形態の天井用照明器具は、所定の角度で形成された反射板により従来２灯で照らしていた範囲を１灯のみで照らすことが出来る。
【００８３】
なお、本実施の形態において反射板３０は、一枚の板を所定の角度に曲げることにより１４面から構成される反射面を有している。しかし、この形状に限定されることはなく、天井用照明装置を設置する位置や場所又は、照明をあてる対象に応じて反射面の数や曲げる角度を変えても良いことはいうまでもない。
【００８４】
図１０において、反射板３０は、一対の短辺の略中央に一対の切欠３１が形成されている。切欠３１は、第一左反射面３０ａ、第二左反射面３０ｂ、第二右反射面３０ａ’及び第二右反射面３０ｂ’にまたがり形成されている。切欠３１は、反射板３０を反射板長辺取付部１０ｆ及び、反射板短辺取付部２０ｆに取付けた際にソケット２１に繋がれている電源線の通路を確保するために設けられたものである。また、切欠が反射板３０に設けられることにより反射板３０を反射板長辺取付部１０ｆ及び、反射板短辺取付部２０ｆに取付ける際に、ソケットに干渉されることなく容易に取付ることができる。
【００８５】
本実施の形態において切欠３１は、一対の短辺の略中央に、第一左反射面３０ａ、第二左反射面３０ｂ、第二右反射面３０ａ’及び第二右反射面３０ｂ’にまたがり形成されている。しかし、この形状に限定されることなく、天井用照明器具１に設置する蛍光灯の灯数や、ソケットの位置に応じて、切欠を形成する場所や位置を変えて良いことはいうまでもない。
【００８６】
反射板３０は、反射板中央軸３０Ｌ上に、長方形形状の取付穴３２を２つ設けている。取付穴３２は、第一左反射面３０ａ及び第二右反射面３０ａ’にまたがり形成されている。取付穴３２は、反射板３０を反射板長辺取付部１０ｆと反射板短辺取付部２０ｆに取付けた際に、本体１０に設けられた反射板取付台１９に対応する位置に、それぞれ設けられている。本実施の形態の取付穴３２は、正方形形状に形成されその一辺の長さは、後述する反射板取付羽ピン６０の羽部６０ｃの短辺の長さと同一にすると良い。
【００８７】
反射板３０は、本体１０の内側に設けられた反射板取付台１９に反射板取付羽ピン６０を差し込むことにより取付けることができる。反射板取付羽ピン６０は、固定部６０ａ、押圧部６０ｂ及び羽部６０ｃの３つの部材から構成されている。固定部６０ａは、筒状に形成され、その下部は、弾性変形により径の大きさが変形されるように形成されている。固定部６０ａは、その内側に押圧部６０ｂを有している。固定部６０ｂ内の押圧部６０ｂを押圧すると固定部６０ｂの下部の径が弾性変形により大きくなる。固定部６０ｂの径の弾性変形前の径の大きさは、反射板固定台１９の反射板取付穴１９ａの径と略同一の大きさである。固定部６０ｂの径の弾性変形後の大きさは、反射板固定台１９の反射板取付穴１９ａの径よりも大きくなる。
【００８８】
羽部６０ｃは、略長方形形状に形成され、その短辺の長さは、取付穴３２の一辺の長さと同一にすると良い。このように、形成することにより、反射板を本体１０に取付けるとき、羽部６０ｃを取付穴３２に嵌め込むことで、固定部６０ａを反射板取付穴１９ａに差し込むための位置決めが容易にできる。
【００８９】
本実施の形態において反射板３０は、本体１０の反射板取付穴１９ａに反射板取付羽ピン６０を差し込むことにより取付けられているが、他の取付手段により取付ても良いことはいうまでもない。例えば、反射板取付台１９にボルト穴を設けてボルトにより取付ても良い。  
【００９０】
本実施の形態において天井用照明器具１は、反射効率の良い反射板を設けることにより、既存の２灯の逆富士型照明器具と同様の明るさを１灯のみで提供できる。つまり、従来の逆富士型照明器具において、天井側に発せられていた照射光は、天井側に吸収されていたため、照射光が十分に照射対象物を照射していなかった。例えば、天井側が白色塗装の場合には、反射率６０パーセントにすぎず、４０パーセントもの照射光が天井側に吸収されていた。又、天井側がアルミニウム鏡面の反射率７０パーセントにすぎず、３０パーセントもの照射光が天井側に吸収されていた。本実施の形態の天井用照明器具は、設けられた反射板の反射率が９５パーセントであり、わずか５パーセントの照射光が天井に吸収されるにすぎない。このため、蛍光灯から発せられた下向きの照射光に加え、一端天井面に向かった上向きの照射光も、ほとんど天井に吸収されることなく反射板により照明対象物を照射する。これにより、従来２灯を要していた明るさを１灯のみで提供できる。
【００９１】
また、灯数が少なくなるため、天井用照明器具より発せられる熱も少なくなり、空調の使用頻度を削減することができ、さらには、電気の使用量も削減することができる。また、いったん、本体を天井に取付けてしまえば、反射板取付羽ピン６０の取りはずしにより、反射板を簡単に取り替えることができる。また、用途に応じて様々な種類の反射板に取り替えることができる。さらには、ソケットを容易に増減することができるため、使用する場所などに応じて１灯又は複数灯の蛍光灯を設置することができる。
【００９２】
〔他の実施の形態〕
本考案の他の実施の形態を図１２、１３に基づいて説明を行う。なお、この他の実施の形態では、前述した実施の形態と同一の部位には同一の符号を付与して、詳細な説明は省略する。
【００９３】
図１２は、本考案の他の実施の形態における反射板の平面図であり、図１３は、図１２をＥ−Ｅ線で切断した拡大断面図である。
本考案の他の実施の形態において反射板１３０は、天井用照明器具１が使用する蛍光灯１５０が２灯のものである場合の形状である。反射板１３０は、本体１０に形成された一対の反射板長辺取付部１０ｆと端板部２０に形成された一対の反射板短辺取付部２０ｆに取付られ、反射板取付台１９に取付られている。
【００９４】
本考案の他の実施の形態において反射板１３０は、２２枚の長方形形状の面が連続して並べられていることで形成されている。また、本考案の他の実施の形態２において反射板１３０は、一枚の板を曲げることにより形成されており、底面視略長方形形状であり、側面視左右対称の略Ｍ字形状に形成されている。
【００９５】
図１３において、反射板１３０は、一の光源である第一蛍光灯１５０に最も近い上方向に第五右反射面１３０ｅが形成されている。第五右反射面１３０ｅは、左から右にかけて上方向に傾斜している。また、反射板１３０は、一の光源である第一蛍光灯１５０に最も近い上方向に第四右反射面１３０ｄが形成されている。第四右反射面１３０ｄは、左から右にかけて下方向に傾斜している。
【００９６】
図１３において、反射板１３０は、一枚の板が連続して曲げられていることにより、第一右反射面１３０ａから第十一右反射面１３０ｋの１１面と、第一左反射面１３０ａ’から第十一左反射面１３０ｋ’の１１面が一体に形成されている。
【００９７】
反射板１３０は、第四右反射面１３０ｄの左隣に第三右反射面１３０ｃが形成され、第三右反射面１３０ｃの左隣に第二右反射面１３０ｂが形成され、第二右反射面１３０ｂの左隣に第一右反射面１３０ａが形成されている。また、第五右反射面１３０ｅの右隣に第六右反射面１３０ｆが形成され、第六右反射面１３０ｆの右隣に第七右反射面１３０ｇが形成され、第七右反射面１３０ｇの右隣に第八右反射面１３０ｈが形成され、第八右反射面１３０ｈの右隣に第九右反射面１３０ｉが形成されている。さらに、第九右反射面１３０ｉの右隣に第十右反射面１３０ｊが形成され、第十右反射面１３０ｊの右隣に第十一右反射面１３０ｋが形成されている。
【００９８】
第一右反射面１３０ａ〜第三右反射面１３０ｃは、左から右にかけて上方向に傾斜するように形成されている。第六右反射面１３０ｆ〜第九右反射面１３０ｉは、左から右にかけて下方向に傾斜するように形成されている。第十右反射面１３０ｊは、左から右にかけて天井板部と平行になるよう水平に形成されている。第十一右反射面１３０ｋは、左から右にかけて上方向に傾斜するように形成されている。
【００９９】
第四右反射面１３０ｄと第五左反射面１３０ｅが隣り合わせた部分は、側面視下方向に第一蛍光灯１５０側に突出する凸型形状に形成されている。
【０１００】
第一右反射面１３０ａと第二右反射面１３０ｂが隣り合わせた部分は、側面視上方向に突出する凸型形状に形成されている。第二右反射面１３０ｂと第三右反射面１３０ｃが隣り合わせた部分は、側面視上方向に突出する凸型形状に形成されている。第三右反射面１３０ｃと第四右反射面１３０ｄが隣り合わせた部分は、側面視上方向に突出する凸型形状に形成されている。
【０１０１】
第五右反射面１３０ｅと第六右反射面１３０ｆが隣り合わせた部分は、側面視上方向に突出する凸型形状に形成されている。第六右反射面１３０ｆと第七右反射面１３０ｇが隣り合わせた部分は、側面視上方向に突出する凸型形状に形成されている。第七右反射面１３０ｇと第八反射面１３０ｈが隣り合わせた部分は、側面視上方向に突出する凸型形状に形成されている。第八右反射面１３０ｈと第九右反射面１３０ｉが隣り合わせた部分は、側面視上方向に突出する凸型形状に形成されている。
【０１０２】
第九右反射面１３０ｉと第十右反射面１３０ｊが隣り合わせた部分は、側面視下方向に突出する凸型形状に形成されている。第十右反射面１３０ｊと第十一右反射面１３０ｋが隣り合わせた部分は、側面視下方向に突出する凸型形状に形成されている。
【０１０３】
反射板１３０は、他の光源である第二蛍光灯２５０に最も近い上方向に第五左反射面１３０ｅ’が形成されている。第五左反射面１３０ｅ’は、右から左にかけて上方向に傾斜している。また、反射板１３０は、他の光源である第二蛍光灯２５０に最も近い上方向に第四左反射面１３０ｄ’が形成されている。第四左反射面１３０ｄ’は、右から左にかけて下方向に傾斜している。
【０１０４】
反射板１３０は、第四左反射面１３０ｄ’の右隣に第三左反射面１３０ｃ’が形成され、第三左反射面１３０ｃ’の右隣に第二左反射面１３０ｂ’が形成され、第二左反射面１３０ｂ’の右隣に第一左反射面１３０ａ’が形成されている。また、第五左反射面１３０ｅ’の左隣に第六左反射面１３０ｆ’が形成され、第六左反射面１３０ｆ’の左隣に第七左反射面１３０ｇ’が形成され、第七左反射面１３０ｇ’の左隣に第八左反射面１３０ｈ’が形成され、第八左反射面１３０ｈ’の左隣に第九左反射面１３０ｉ’が形成されている。さらに、第九左反射面１３０ｉ’の左隣に第十左反射面１３０ｊ’が形成され、第十左反射面１３０ｊ’の左隣に第十一左反射面１３０ｋ’が形成されている。
【０１０５】
図第一左反射面１３０ａ’〜第三左反射面１３０ｃ’は、右から左にかけて上方向に傾斜するように形成されている。第六左反射面１３０ｆ’〜第九左反射面１３０ｉ’は、右から左にかけて下方向に傾斜するように形成されている。第十左反射面１３０ｊ’は、右から左にかけて天井板部と平行になるよう水平に形成されている。第十一左反射面１３０ｋ’は、右から左にかけて上方向に傾斜するように形成されている。
【０１０６】
第四左反射面１３０ｄ’と第五左反射面１３０ｅ’が隣り合わせた部分は、側面視下方向に第二蛍光灯２５０側に突出する凸型形状に形成されている。
【０１０７】
第一左反射面１３０ａ’と第二左反射面１３０ｂ’が隣り合わせた部分は、側面視上方向に突出する凸型形状に形成されている。第二左反射面１３０ｂ’と第三左反射面１３０ｃ’が隣り合わせた部分は、側面視上方向に突出する凸型形状に形成されている。第三左反射面１３０ｃ’と第四左反射面１３０ｄ’が隣り合わせた部分は、側面視上方向に突出する凸型形状に形成されている。
【０１０８】
第五左反射面１３０ｅ’と第六左反射面１３０ｆ’が隣り合わせた部分は、側面視上方向に突出する凸型形状に形成されている。第六左反射面１３０ｆ’と第七左反射面１３０ｇ’が隣り合わせた部分は、側面視上方向に突出する凸型形状に形成されている。第七左反射面１３０ｇ’と第八反射面１３０ｈ’が隣り合わせた部分は、側面視上方向に突出する凸型形状に形成されている。第八左反射面１３０ｈ’と第九左反射面１３０ｉ’が隣り合わせた部分は、側面視上方向に突出する凸型形状に形成されている。
【０１０９】
第九左反射面１３０ｉ’と第十左反射面１３０ｊ’が隣り合わせた部分は、側面視下方向に突出する凸型形状に形成されている。第十左反射面１３０ｊ’と第十一左反射面１３０ｋ’が隣り合わせた部分は、側面視下方向に突出する凸型形状に形成されている。
【０１１０】
第一右反射面１３０ａ〜第十一右反射面３０ｋと第一左反射面１３０ａ’〜第十一左反射面１３０ｋ’は、反射板中央軸１３０Ｌを軸に左右対称に形成されている。第一右反射面１３０ａと第一左反射面１３０ａ’が隣り合わせた部分は、側面視下方向に突出する凸型形状に形成されている。
【０１１１】
反射板１３０は、端板部２０に設けられた二対のソケットに対応する短辺の部分に、二対の切欠１３１が形成されている。一対の切欠１３１は、第三右反射面１３０ｃ、第四右反射面１３０ｄ、第五右反射面１３０ｅ及び第六右反射面１３０ｆにまたがり形成されている。他の一対の切欠１３１は、第三左反射面１３０ｃ’、第四左反射面１３０ｄ’、第五左反射面１３０ｅ’及び第六左反射面１３０ｆ’にまたがり形成されている。切欠１３１は、反射板１３０を反射板長辺取付部１０ｆ及び、反射板短辺取付部２０ｆに取付けた際にソケットに繋がれている電源線の通路を確保するために設けられたものである。また、切欠が反射板１３０に設けられることにより反射板１３０を反射板長辺取付部１０ｆ及び、反射板短辺取付部２０ｆに取付ける際に、ソケットに干渉されることなく容易に取付ることができる。
【０１１２】
本実施の形態において天井用照明器具１は、反射効率の良い反射板を設けることにより、既存の２灯の逆富士型照明器具と同等或はそれ以上の明るさを提供できる。また、少ない電気の使用量で既存の２灯の逆富士型照明器具と同等の明るさを提供できるため、天井用照明器具より発せられる熱も少なくなり、空調の使用頻度を削減することができ、さらには、電気の使用量も削減することができる。
【０１１３】
〔他の実施の形態２〕
本考案の他の実施の形態２を図１４、１５に基づいて説明を行う。なお、この他の実施の形態２では、前述した実施の形態と同一の部位には同一の符号を付与して、詳細な説明は省略する。
【０１１４】
図１４は、本考案の他の実施の形態２における反射板の平面図であり、図１５は、図１４をＦ−Ｆ線で切断した拡大断面図である。
本考案の他の実施の形態２において反射板２３０は、天井用照明器具１が使用する蛍光灯２５０が１灯のものであり、天井から壁にむかって光を照射する場合に用いられる形状である。反射板２３０は、本体１０に形成された一対の反射板長辺取付部１０ｆと端板部２０に形成された一対の反射板短辺取付部２０ｆに取付られ、反射板取付台１９に取付られている。
【０１１５】
本考案の他の実施の形態２において反射板２３０は、１３枚の長方形形状の面が連続して並べられていることで形成されている。また、本考案の他の実施の形態２において反射板２３０は、一枚の板を曲げることにより形成されており、底面視略長方形形状であり、側面視の略スプーンの先の皿形状に形成されている。
【０１１６】
反射板２３０は、一枚の板が連続して曲げられていることにより、第一反射面２３０ａから第十三反射面２３０ｎの１３面が一体に形成されている。
【０１１７】
図１５において、第一反射面２３０ａは、左から右にかけて上方向に傾斜するように形成されている。第二反射面２３０ｂは、左から右にかけて天井板部と平行になるよう水平に形成されている。第三反射面２３０ｃ〜第七反射面２３０ｇは、左から右にかけて上方向に傾斜するように形成されている。第八反射面２３０ｈは、左から右にかけて天井板部と平行になるよう水平に形成されている。 第九反射面２３０ｉ〜第十一反射面２３０ｋは、左から右にかけて下方向に傾斜するように形成されている。第十二反射面２３０ｍは、左から右にかけて天井板部と平行になるよう水平に形成されている。第十三反射面２３０ｎは、左から右にかけて上方向に傾斜するように形成されている。
【０１１８】
第一反射面２３０ａと第二反射面２３０ｂが隣り合わせた部分は、側面視下方向に突出する凸型形状に形成されている。第二反射面２３０ｂと第三反射面２３０ｃが隣り合わせた部分は、側面視下方向に突出する凸型形状に形成されている。第三反射面２３０ｃと第四反射面２３０ｄが隣り合わせた部分は、側面視上方向に突出する凸型形状に形成されている。第四反射面２３０ｄと第五反射面２３０ｅが隣り合わせた部分は、側面視上方向に突出する凸型形状に形成されている。
【０１１９】
第五反射面２３０ｅと第六反射面２３０ｆが隣り合わせた部分は、側面視上方向に突出する凸型形状に形成されている。第六反射面２３０ｆと第七反射面２３０ｇが隣り合わせた部分は、側面視上方向に突出する凸型形状に形成されている。第七反射面２３０ｇと第八反射面２３０ｈが隣り合わせた部分は、側面視上方向に突出する凸型形状に形成されている。第八反射面２３０ｈと第九反射面２３０ｉが隣り合わせた部分は、側面視上方向に突出する凸型形状に形成されている。第九反射面２３０ｉと第十反射面２３０ｊが隣り合わせた部分は、側面視上方向に突出する凸型形状に形成されている。
【０１２０】
第十反射面２３０ｊと第十一反射面２３０ｋが隣り合わせた部分は、側面視上方向に突出する凸型形状に形成されている。第十一反射面２３０ｋと第十二反射面２３０ｍが隣り合わせた部分は、側面視上方向に突出する凸型形状に形成されている。第十二反射面２３０ｍと第十三反射面２３０ｎが隣り合わせた部分は、側面視上方向に突出する凸型形状に形成されている。
【０１２１】
反射板２３０は、一対の切欠２３１が形成されている。一対の切欠２３１は、第四反射面２３０ｄ、第五反射面２３０ｅ、及び第六反射面２３０ｆにまたがり形成されている。切欠３１は、反射板２３０を反射板長辺取付部１０ｆ及び、反射板短辺取付部２０ｆに取付けた際にソケットに繋がれている電源線の通路を確保するために設けられたものである。また、切欠が反射板２３０に設けられることにより反射板２３０を反射板長辺取付部１０ｆ及び、反射板短辺取付部２０ｆに取付ける際に、ソケットに干渉されることなく容易に取付ることができる。
【０１２２】
本実施の形態において天井用照明器具１は、反射効率の良い反射板を設けることにより、１灯のみでより適切に壁側を照らすことができる。また、灯数が少なくなるため、天井用照明器具より発せられる熱も少なくなり、壁に設けられた照明対象物（例えば絵画や展示物）の劣化を抑えることができ、さらには、電気の使用量も削減することができる。
【０１２３】
〔他の実施の形態３〕
本考案の他の実施の形態３を図１６、１７に基づいて説明を行う。なお、この他の実施の形態３では、前述した実施の形態と同一の部位には同一の符号を付与して、詳細な説明は省略する。
【０１２４】
本考案の他の実施の形態３において端板部３２０は、本体１０の長手方向に移動するカバー部３３０が構成されている。図１６は、カバー部が外側に移動した状態を表した天井用照明器具の拡大一部平面図であり、図１７は、カバー部を内側に移動した状態を表した天井用照明器具の拡大一部平面図である。
【０１２５】
本考案の他の実施の形態３において天井用照明器具は、両端の端板部３２０においてカバー部３３０が外側に移動した伸長状態で例えば１２５０ｍｍとなり、カバー部３３０が内側に移動した縮小状態で１２３５ｍｍになるように形成されている。カバー部３３０は、ソケット３２１の裏に固定された板バネ３４０が設けられている。板バネ３４０が拡張した状態で、カバー部３３０は外側に移動した伸長状態となり、板バネ３４０を圧縮した状態で、カバー部３３０は内側に移動した縮小状態となる。
【０１２６】
既存の逆富士型照明器具が、長手方向に連続して並べられている状態においては、本実施の形態の天井用照明器具はサイズが大きいため取り替え作業が行えない。このため、本考案の他の実施の形態３において天井用照明器具は、長手方向の長さを調整できるように構成したものである。なお、本考案の他の実施の形態３においては、両端の端板部３２０にカバー部３３０を設けているが、いずれか一方の端板部にだけ設けても良いことはいうまでもない。また、既存の逆富士型照明器具の大きさに応じてカバー部３３０の移動範囲を変更しても良いことはいうまでもない。
【０１２７】
以上、本考案の実施の形態について説明を行ったが、本考案はこの実施の形態に限定されることはない。本考案の目的、趣旨を変更しない範囲内で変更が可能であることはいうまでもない。例えば、本考案の他の実施の形態３においては、天井用じか付け灯を中心に説明しているが、例えば天井吊下灯としても良いことはいうまでもない。
【図面の簡単な説明】
【０１２８】
【図１】本考案の天井用照明器具の実施の形態を示す外観図
【図２】図１をＡ−Ａ線で切断した拡大断面図
【図３】本考案の天井用照明器具を天井側から見た平面図
【図４】電源用ノック穴１７をＢ−Ｂ線からみた一部拡大断面図
【図５】反射板を外したときの天井用照明器具の平面図
【図６】反射板を取付けたときの天井用照明器具の平面図
【図７】天井用照明器具の側面図
【図８】反射板を外したときの天井用照明器具の一部外観図
【図９】図１をＣ−Ｃ線で切断した断面図
【図１０】本実施の形態における反射板の平面図
【図１１】図１０をＤ−Ｄ線で切断した拡大断面図
【図１２】本考案の他の実施の形態における反射板の平面図
【図１３】図１２をＥ−Ｅ線で切断した拡大断面図
【図１４】本考案の他の実施の形態２における反射板の平面図
【図１５】図１４をＦ−Ｆ線で切断した拡大断面図
【図１６】カバー部が外側に移動した状態を表した天井用照明器具の拡大一部平面図
【図１７】カバー部を内側に移動した状態を表した天井用照明器具の拡大一部平面図
【符号の説明】
【０１２９】
１  …  天井用照明器具
１０  …  本体
１４  …  吊下ボルト穴
１５  …  吊下ボルト穴
２０  …  端板部
３０  …  反射板
【図１】
0003137243.tif 000003
【図２】
0003137243.tif 000004
【図３】
0003137243.tif 000005
【図４】
0003137243.tif 000006
【図５】
0003137243.tif 000007
【図６】
0003137243.tif 000008
【図７】
0003137243.tif 000009
【図８】
0003137243.tif 000010
【図９】
0003137243.tif 000011
【図１０】
0003137243.tif 000012
【図１１】
0003137243.tif 000013
【図１２】
0003137243.tif 000014
【図１３】
0003137243.tif 000015
【図１４】
0003137243.tif 000016
【図１５】
0003137243.tif 000017
【図１６】
0003137243.tif 000018
【図１７】
0003137243.tif 000019